(57)【要約】【課題】側面が視認されない透明な被覆板が蓋体に装着された美観の高い蓋付き容器を提供する。【解決手段】内容物を収容する収容部１４を備えた容器本体１０と、容器本体１０に開閉自在に装着された蓋体２０とを有する蓋付き容器１であって、蓋体２０の表面に装着された合成樹脂製の透明な被覆板３０と、蓋体２０に設けられて被覆板３０の側面３２を覆う枠部２５とを有し、被覆板３０が、側面３２に連なる断面円弧状の湾曲面３４を備えるとともに、湾曲面３４の側面３２からの突出高さをａ、側面３２の高さをｂ、湾曲面３４の側面３２から側面３２に垂直な方向に向けた幅をＷ、湾曲面３４の中心角をθ１、被覆板３０の臨界角をθｃとしたときに、Ｗ／（ａ＋ｂ）≧ｔａｎθｃ、且つ、θ１＞θｃを満たす形状であることを特徴とする蓋付き容器１。【選択図】図７
2019097729.tif 000002
【特許請求の範囲】
【請求項１】
内容物を収容する収容部を備えた容器本体と、前記容器本体に開閉自在に装着された蓋体とを有する蓋付き容器であって、
前記蓋体の表面に装着された合成樹脂製の透明な被覆板と、
前記蓋体に設けられて前記被覆板の側面を覆う枠部とを有し、
前記被覆板が、
前記側面に連なる断面円弧状の湾曲面を備えるとともに、
前記湾曲面の前記側面からの突出高さをａ、前記側面の高さをｂ、前記湾曲面の前記側面から該側面に垂直な方向に向けた幅をＷ、前記湾曲面の中心角をθ１、前記被覆板の臨界角をθｃとしたときに、Ｗ／（ａ＋ｂ）≧ｔａｎθｃ、且つ、θ１＞θｃを満たす形状であることを特徴とする蓋付き容器。
【請求項２】
前記被覆板が合成樹脂材料の射出成形品であり、金型のゲート跡を前記側面に有している、請求項１に記載の蓋付き容器。
【請求項３】
前記蓋体が天壁と該天壁の外周縁に連なる周壁とを有し、
前記枠部が前記天壁の外周縁に沿って該天壁の表面から突出する壁状に形成されている、請求項１または２に記載の蓋付き容器。
【請求項４】
化粧料を前記内容物として収容する用途に用いられるものである、請求項１〜３の何れか１項に記載の蓋付き容器。
【発明の詳細な説明】
【技術分野】
【０００１】
本発明は、内容物を収容する収容部を備えた容器本体と、容器本体に開閉自在に装着された蓋体とを有する蓋付き容器に関する。
【背景技術】
【０００２】
従来、例えば化粧料などを内容物として収容する容器として、内容物を収容する収容部を備えた容器本体と、容器本体に開閉自在に装着された蓋体とを有する蓋付き容器が知られている。また、蓋付き容器として、蓋体の表面に被覆板を装着した構成とすることで、当該容器の美観を高めるようにしたものも知られている。
【０００３】
例えば特許文献１には、内容物としてファンデーション等の化粧料を収容するコンパクト容器とも呼ばれる蓋付き容器であって、その蓋体の表面に被覆板を装着した構成のものが記載されている。
【０００４】
一方、上記従来の蓋付き容器では、例えば、被覆板を合成樹脂材料の射出成型品であって金型のゲート跡を側面に有する構成とした場合や、枠部に対して被覆板をアンダーカット係合ないし位置決めするためのリブを被覆板の側面に設けた構成とした場合のように、被覆板の側面に美観を低下させる部分が設けられる場合があるが、このような場合には、蓋体に枠部を設け、この枠部により被覆板の側面を覆うようにして、当該部分が外部から視認されないようにしている。
【先行技術文献】
【特許文献】
【０００５】
【特許文献１】特開２０１５−１６３１５７号公報
【発明の概要】
【発明が解決しようとする課題】
【０００６】
例えば化粧料を収容するコンパクト容器などのように高級感のあるパッケージングで商品の差別化が要望される用途に用いられる蓋付き容器においては、被覆板として優れた光学的な加飾機能を発揮する透明なものを用いることが考えられる。
【０００７】
しかし、透明な被覆板では、枠部によって被覆板の側面を覆う構成としても、被覆板の上面を通して側面が視認可能であるため、被覆板の側面にゲート跡やリブ等が設けられた構成であると、上面から当該部分が視認されて、容器の美観が低下してしまうという問題があった。
【０００８】
本発明は、このような点を解決することを課題とするものであり、その目的は、側面が視認されない透明な被覆板が蓋体に装着された美観の高い蓋付き容器を提供することにある。
【課題を解決するための手段】
【０００９】
本発明の蓋付き容器は、内容物を収容する収容部を備えた容器本体と、前記容器本体に開閉自在に装着された蓋体とを有する蓋付き容器であって、前記蓋体の表面に装着された合成樹脂製の透明な被覆板と、前記蓋体に設けられて前記被覆板の側面を覆う枠部とを有し、前記被覆板が、前記側面に連なる断面円弧状の湾曲面を備えるとともに、前記湾曲面の前記側面からの突出高さをａ、前記側面の高さをｂ、前記湾曲面の前記側面から該側面に垂直な方向に向けた幅をＷ、前記湾曲面の中心角をθ１、前記被覆板の臨界角をθｃとしたときに、Ｗ／（ａ＋ｂ）≧ｔａｎθｃ、且つ、θ１＞θｃを満たす形状であることを特徴とする。
【００１０】
本発明の蓋付き容器は、上記構成において、前記被覆板が合成樹脂材料の射出成形品であり、金型のゲート跡を前記側面に有しているのが好ましい。
【００１１】
本発明の蓋付き容器は、上記構成において、前記蓋体が天壁と該天壁の外周縁に連なる周壁とを有し、前記枠部が前記天壁の外周縁に沿って該天壁の表面から突出する壁状に形成されているのが好ましい。
【００１２】
本発明の蓋付き容器は、上記構成において、化粧料を前記内容物として収容する用途に用いられるものであるのが好ましい。
【発明の効果】
【００１３】
本発明によれば、側面が視認されない透明な被覆板が蓋体に装着された美観の高い蓋付き容器を提供することができる。
【図面の簡単な説明】
【００１４】
【図１】本発明の一実施の形態である蓋付き容器の正面図である。
【図２】図１に示す蓋付き容器の側面図である。
【図３】図１におけるＡ−Ａ線に沿う断面図である。
【図４】図２におけるＢ−Ｂ線に沿う断面図である。
【図５】蓋体を開いた状態の蓋付き容器の平面図である。
【図６】図３に示す蓋付き容器の要部の拡大断面図である。
【図７】被覆板の要部の拡大断面図である。
【図８】被覆板の外周縁を真上から見た場合の視認点を示す説明図である。
【図９】被覆板の湾曲部を真上から見た場合の視認点を示す説明図である。
【図１０】被覆板の外周縁を斜め上方から見た場合の視認点を示す説明図である。
【図１１】被覆板の湾曲部を斜め上方から見た場合の視認点を示す説明図である。
【発明を実施するための形態】
【００１５】
以下、図面を参照して、本発明をより具体的に例示説明する。
【００１６】
図１〜図５に示す本発明の一実施の形態である蓋付き容器１は、例えばファンデーション等の化粧料を内容物として収容する用途に用いられる携帯用のコンパクト容器である。蓋付き容器１は、略矩形の扁平な形状となっており、容器本体１０と蓋体２０とを有している。
【００１７】
容器本体１０は合成樹脂製であり、略矩形の底壁１１と、底壁１１の外周縁に一体に連なる周壁１２とを備えた浅い皿状となっている。図３、図４に示すように、容器本体１０の内部には合成樹脂製の内装体１３が装着されており、容器本体１０の内部は内装体１３によって内容物収容部１４と塗布具収容部１５とに区画されている。容器本体１０の内容物収容部１４には内容物Ｍを収容することができ、塗布具収容部１５には塗布具Ｐを収容することができる。
【００１８】
図示する場合では、内容物収容部１４に収容される内容物Ｍは使い捨て可能なリフィル容器１６に充填された化粧料（ファンデーション）である。内容物Ｍは、リフィル容器１６が内容物収容部１４に嵌め込まれることで当該内容物収容部１４に収容される。内容物Ｍが全て取り出された後には、空になったリフィル容器１６を内容物収容部１４から取り外し、内容物Ｍが充填されている新たなリフィル容器１６を内容物収容部１４に嵌め込むことで、蓋付き容器１を繰り返し使用することができる。
【００１９】
塗布具収容部１５には、例えば化粧料を塗布するためのパフとして構成された塗布具Ｐを収容することができる。なお、化粧料の種類に合わせて、塗布具収容部１５に、例えば筆状のものなど種々の塗布具Ｐを収容することもできる。図４、図５に示すように、底壁１１の塗布具収容部１５に対応する部分に、塗布具収容部１５と外部との通気性を確保するための多数の通気孔１１ａを設けた構成とすることもできる。なお、便宜上、図４、図５においては、１つの通気孔１１ａにのみ符号を付してある。
【００２０】
蓋体２０は合成樹脂製であり、容器本体１０の底壁１１に対応した大きさの略矩形の天壁２１と、天壁２１の外周縁に一体に連なる周壁２２とを備えている。図３に示すように、蓋体２０は、天壁２１及び周壁２２に一体に連なるヒンジ部２３を備えており、ヒンジ部２３はヒンジ軸２３ａによって容器本体１０に回動自在に装着されている。これにより、蓋体２０は、容器本体１０に対して、図１、図２に示すように内容物収容部１４及び塗布具収容部１５を閉塞する閉位置と、図５に示すように閉位置からヒンジ軸２３ａを中心として回動して内容物収容部１４及び塗布具収容部１５を開放する開位置との間で開閉自在となっている。なお、図５においては、蓋付き容器１を内容物Ｍ及び塗布具Ｐを収容していない状態で示している。
【００２１】
容器本体１０の周壁１２の前面中央部には開閉操作部１７が設けられている。開閉操作部１７は係止爪１７ａを備えており、係止爪１７ａを蓋体２０に係止させて当該蓋体２０を閉位置に保持することができる。一方、開閉操作部１７を操作して係止爪１７ａの蓋体２０との係合を解除することで蓋体２０を開くことができる。
【００２２】
蓋体２０の天壁２１の裏面（内面）には矩形形状の鏡２４が装着されており、蓋体２０を開いたときに鏡２４を見ることができるようになっている。天壁２１は外側に向けて鏡２４の厚みと同程度の深さで凹む凹部２１ａを有しており、鏡２４は凹部２１ａに配置されている。なお、天壁２１の裏面とは、蓋体２０を容器本体１０に対して閉じた状態（閉位置）としたときに容器本体１０の内部を向く側の面である。
【００２３】
蓋体２０の天壁２１の表面（外面）には、合成樹脂製の透明な被覆板３０が装着されている。本実施の形態では、被覆板３０は蓋体２０の天壁２１よりも一回り小さい矩形の平板状となっており、蓋体２０の天壁２１の表面に接着剤等の固定手段を用いて固定されて当該表面の略全面を覆っている。蓋体２０の表面の略全面が、優れた光学的な加飾機能を発揮する透明な被覆板３０によって覆われることにより、蓋付き容器１の美観が高められている。なお、天壁２１の表面とは、蓋体２０を容器本体１０に対して閉じた状態（閉位置）としたときに容器本体１０の外側を向いて外部から視認可能となる面である。
【００２４】
図６に示すように、被覆板３０は、天壁２１の表面と平行で平らな上面３１と、上面３１に対して垂直な側面３２及び上面３１に平行な下面３３を有している。また、被覆板３０は、上面３１と側面３２との間に、側面３２と上面３１とに連なる湾曲面３４を有している。湾曲面３４は、上面３１及び側面３２の両方に垂直な断面において外側に向けて凸となる円弧状であり、図７に示すように、当該円弧の中心点Ｏは、上面３１と湾曲面３４との境界から上面３１に垂直な方向に下ろした垂線Ｌ上に位置している。
【００２５】
なお、本実施の形態では、被覆板３０は矩形の平板状に形成されているので、４つの側面３２とそれぞれの側面３２に連なる４つの湾曲面３４とを備えている。
【００２６】
本実施の形態においては、被覆板３０は、合成樹脂材料を射出成形した射出成形品となっており、図６に示すように、金型（不図示）のゲート跡３５を側面３２に有している。
【００２７】
被覆板３０としては、例えばＰＣＴＡ樹脂により形成されたものを採用することができるが、ＳＡＮ（スチレンアクリロニトリルコポリマー）樹脂、ＰＭＭＡ（ポリメタクリル）樹脂、ＰＣ（ポリカーボネート）樹脂、ＰＳ（ポリスチレン）樹脂、ＰＭＰ（ポリメチルペンテン）樹脂などの他の合成樹脂材料で形成されたものを採用することもできる。なお、ＰＣＴＡ樹脂とは、テレフタル酸（ＴＡ）とイソフタル酸（ＩＰＡ）を主成分とするジカルボン酸成分と、１，４シクロヘキサンジメタノールジオール（ＣＨＤＭ）を主成分とするジオール成分から成る樹脂のことである。
【００２８】
蓋体２０には、天壁２１の外周縁に沿って天壁２１の表面から突出する壁状の枠部２５が一体に設けられている。枠部２５は、周壁２２の上側に一体に連なるとともに天壁２１の外周縁に沿って延びて被覆板３０の全周を囲っており、被覆板３０の側面３２に対向して当該側面３２を外側から覆っている。被覆板３０の側面３２は枠部２５によって覆われることで、外部から直接視認されないようになっている。すなわち、被覆板３０の側面３２にあるゲート跡３５も枠部２５により覆われて外部から直接視認されないようになっている。
【００２９】
一方、被覆板３０は透明であるので、枠部２５によって被覆板３０の側面３２を覆った構成であっても、被覆板３０の上面３１ないし湾曲面３４を通して側面３２が外部から視認されると、ゲート跡３５が外部から視認されることになって蓋付き容器１の美観が低下してしまうことになる。
【００３０】
そこで、本実施の形態の蓋付き容器１では、被覆板３０を、側面３２に連なる断面円弧状の湾曲面３４を備えるとともに、図７に示すように、湾曲面３４の側面３２からの突出高さをａ、側面３２の高さをｂ、湾曲面３４の側面３２から側面３２に垂直な方向に向けた幅をＷ、湾曲面３４の中心角をθ１、被覆板３０の臨界角をθｃとしたときに、Ｗ／（ａ＋ｂ）≧ｔａｎθｃ、且つ、θ１＞θｃを満たす形状として、被覆板３０の上面３１ないし湾曲面３４を通して側面３２（ゲート跡３５）が外部から視認されないようにしている。
【００３１】
ここで、湾曲面３４の側面３２からの突出高さａとは、側面３２の上面３１の側の端部である上端３２ａを基準として上面３１に垂直な方向に向けて測った湾曲面３４の最も高い部分における高さのことである。また、側面３２の高さｂとは、側面３２の下面３３の側の端部である下端３２ｂを基準として上面３１に垂直な方向に向けて測った上端３２ａまでの高さのことである。さらに、湾曲面３４の側面３２から側面３２に垂直な方向に向けた幅Ｗとは、側面３２を基準として側面３２に垂直な方向に向けて測った湾曲面３４の幅のことである。さらに、湾曲面３４の中心角θ１とは、上面３１及び側面３２の両方に垂直な断面において円弧状となる湾曲面３４の当該円弧状の断面形状における中心角のことである。さらに、被覆板３０の臨界角θｃとは、被覆板３０の表面において全反射が起きる最も小さな入射角のことであり、被覆板３０の材質によって定まり、例えば、被覆板３０の材質をＰＣＴＡ樹脂（屈折率が１．５５３）とした場合には、その臨界角θｃは４０．０８４度である。
【００３２】
本実施の形態では、被覆板３０はＰＣＴＡ樹脂製であり、湾曲面３４の側面３２からの突出高さａは１．５ｍｍ、側面３２の高さｂは２．０ｍｍ、湾曲面３４の幅Ｗは２．８７２ｍｍ、湾曲面３４の中心角θ１は５５．１５０度、被覆板３０の臨界角θｃは４０．０８４度、湾曲面３４の半径Ｒは３．５ｍｍである。
【００３３】
上記形状を有する被覆板３０では、被覆板３０の上面３１ないし湾曲面３４を通して側面３２が外部から視認されないので、被覆板３０として、その側面３２にゲート跡３５を有する合成樹脂材料の射出成形品を採用しても、当該ゲート跡３５が外部から視認されないようにして蓋付き容器１を美観の高いものとすることができる。
【００３４】
例えば、図８に示すように、被覆板３０の外周縁（側面３２）を真上（上面３１に垂直な方向）から見た場合には、湾曲面３４によって視認方向が側面３２から離れる方向に屈折され、また外周縁への入射角θａよりも屈折角θｂが小さいことから、被覆板３０の下面３３の側面３２から距離ｘだけ離れた点が視認されることになる。そのため、被覆板３０の外周縁を真上から見ても、側面３２ないしゲート跡３５は視認されない。
【００３５】
同様に、図９に示すように、被覆板３０の湾曲面３４を真上から見た場合にも、湾曲面３４によって視認方向が側面３２から離れる方向に屈折されるので、被覆板３０の下面３３の側面３２から離れた点が視認され、側面３２ないしゲート跡３５は視認されない。
【００３６】
次に、被覆板３０を斜め上方から見た場合であるが、この場合でも、被覆板３０がＷ／（ａ＋ｂ）≧ｔａｎθｃ及びθ１＞θｃを満たす形状となっていることから、側面３２ないしゲート跡３５は視認されない。
【００３７】
すなわち、図１０に示すように、被覆板３０の外周縁を斜め上方から見た場合には、被覆板３０がθ１＞θｃの関係を有する形状とされていることから、視認方向は側面３２から離れた方向となり、被覆板３０の下面３３の側面３２から離れた点が視認され、側面３２ないしゲート跡３５は視認されない。
【００３８】
次に、図１１に示すように、被覆板３０の湾曲面３４を斜め上方から見た場合であるが、被覆板３０がＷ／（ａ＋ｂ）≧ｔａｎθｃの関係を有する形状とされており、また、下面３３の垂線Ｌと交わる点を基準として側面３２に向けた距離をＸとすると、ｔａｎθｃ＝Ｘ／（ａ＋ｂ）であることから、Ｗ≧Ｘとなる。よって、被覆板３０の下面３３の外周端ないし側面３２から離れた点が視認され、側面３２ないしゲート跡３５は視認されない。
【００３９】
このように、本実施の形態の蓋付き容器１では、蓋体２０の表面に装着されて枠部２５によって側面３２が覆われた合成樹脂製の透明な被覆板３０を、側面３２に連なる断面円弧状の湾曲面３４を備えるとともに、湾曲面３４の側面３２からの突出高さをａ、側面３２の高さをｂ、湾曲面３４の幅をＷ、湾曲面３４の中心角をθ１、被覆板３０の臨界角をθｃとしたときに、Ｗ／（ａ＋ｂ）≧ｔａｎθｃ、且つ、θ１＞θｃを満たす形状としたので、上面３１ないし湾曲面３４を通して側面３２が外部から視認されないようにすることができる。よって、被覆板３０が、その側面３２に、例えばゲート跡３５などの美観を低下させる部分を有していても、当該部分が外部から視認されないようにして、蓋付き容器１を美観の高いものとすることができる。
【００４０】
特に、被覆板３０を合成樹脂材料の射出成型品とした場合には、被覆板３０にゲート跡３５が生じることになるが、当該ゲート跡３５を側面３２に位置するように構成することで、上面３１ないし湾曲面３４を通してゲート跡３５が視認されないようにして、蓋付き容器１を美観の高いものとすることができる。よって、被覆板３０を合成樹脂材料の射出成型品としてコストを低減させつつ、ゲート跡３５が視認されない美観の高い蓋付き容器１を提供することができる。
【００４１】
また、蓋体２０を天壁２１と天壁２１の外周縁に連なる周壁２２とを有する構成とし、枠部２５を天壁２１の外周縁に沿って天壁２１の表面から突出する壁状に形成した場合には、蓋体２０の表面の略全面を優れた光学的な加飾機能を発揮する透明な被覆板３０によって覆う構成とすることができるので、蓋付き容器１の美観をより高いものとすることができる。
【００４２】
さらに、化粧料を前記内容物として収容する用途に用いられるコンパクト容器とした場合には、当該蓋付き容器１を商品の差別化を図ることが可能な高級感のあるパッケージングとして、その商品価値を高めることができる。
【００４３】
本発明は前記実施の形態に限定されるものではなく、その要旨を逸脱しない範囲で種々変更可能であることはいうまでもない。
【００４４】
例えば、前記実施の形態においては、被覆板３０を天壁２１に接着剤により接着して蓋体２０に固定する構成としたが、これに限らず、被覆板３０の側面３２にリブを設け、当該リブを枠部２５にアンダーカット係合させることで蓋体２０に固定する構成としてもよい。この場合においても、被覆板３０の側面３２に設けたリブが上面３１ないし湾曲面３４を通して外部から視認されることを防止して、蓋付き容器１を美観の高いものとすることができる。
【００４５】
また、前記実施の形態においては、被覆板３０を蓋体２０の表面の略全体を覆うものとしたが、これに限らず、被覆板３０は、少なくとも蓋体２０の表面の一部を覆う構成であればよい。また、被覆板３０は、蓋体２０の天壁２１の表面に限らず、周壁２２の表面に装着されてもよい。
【００４６】
さらに、前記実施の形態においては、被覆板３０を矩形の平板状の形状としたが、これに限らず、蓋体２０の表面に装着されて枠部２５によって覆われる側面３２と、側面３２に連なる断面円弧状の湾曲面３４とを備え、湾曲面３４の側面３２からの突出高さをａ、側面３２の高さをｂ、湾曲面３４の幅をＷ、湾曲面３４の中心角をθ１、被覆板３０の臨界角をθｃとしたときに、Ｗ／（ａ＋ｂ）≧ｔａｎθｃ、且つ、θ１＞θｃを満たす形状であれば、例えば円形の平板状や、円形で全体が３次元的に湾曲した形状など、種々の形状とすることができる。
【００４７】
さらに、前記実施の形態においては、蓋体２０をヒンジ軸２３ａによって容器本体１０に開閉自在に装着された構成としたが、これに限らず、ねじ結合により容器本体１０に着脱自在に装着される構成や、アンダーカットにより容器本体１０に着脱自在に装着される構成としてもよい。
【００４８】
さらに、前記実施の形態においては、容器本体１０を薄い皿状のものとしたが、これに限らず、例えば広口壜形状などの他の形状のものとしてもよい。この場合、蓋体２０は、有頂円筒状としてもよい。
【００４９】
さらに、本発明を、化粧料を内容物として収容する用途に用いられる蓋付き容器１に限らず、他のものを内容物として収容する蓋付き容器に適用してもよい。
【符号の説明】
【００５０】
１    蓋付き容器
１０    容器本体
１１    底壁
１１ａ  通気孔
１２    周壁
１３    内装体
１４    内容物収容部
１５    塗布具収容部
１６    リフィル容器
１７    開閉操作部
１７ａ  係止爪
２０    蓋体
２１    天壁
２１ａ  凹部
２２    周壁
２３    ヒンジ部
２３ａ  ヒンジ軸
２４    鏡
２５    枠部
３０    被覆板
３１    上面
３２    側面
３２ａ  上端
３２ｂ  下端
３３    下面
３４    湾曲面
３５    ゲート跡
Ｍ    内容物
Ｐ    塗布具
Ｏ    中心点
Ｌ    垂線
ａ    湾曲面の側面からの突出高さ
ｂ    側面の高さ
Ｗ    湾曲面の幅
θ１    湾曲面の中心角
θｃ    被覆板の臨界角
Ｒ    湾曲面の半径
θａ    入射角
θｂ    屈折角
【図１】
2019097729.tif 000003
【図２】
2019097729.tif 000004
【図３】
2019097729.tif 000005
【図４】
2019097729.tif 000006
【図５】
2019097729.tif 000007
【図６】
2019097729.tif 000008
【図７】
2019097729.tif 000009
【図８】
2019097729.tif 000010
【図９】
2019097729.tif 000011
【図１０】
2019097729.tif 000012
【図１１】
2019097729.tif 000013